(57)【要約】【課題】主に各種電子機器の操作に用いられるリモコン送信機に関し、薄型化が図れ、多様な遠隔操作が可能なものを提供することを目的とする。【解決手段】ケース１１上面に複数の静電タッチパネル１６や１７，１８を設けると共に、この複数の静電タッチパネルやスイッチ接点の操作に応じて、制御手段２８が送信手段２７からリモコン信号を送信することによって、ケース１１上面を凹凸なくほぼ平坦に形成できるため、全体の薄型化が図れると共に、複数の静電タッチパネルによって機器の各機能の切換えやメニュー選択等が行えるため、多様な遠隔操作が可能なリモコン送信機を得ることができる。【選択図】図１
2010050661.tif 000002
【特許請求の範囲】
【請求項１】
ケース上面に装着された複数の静電タッチパネルと、所定の静電タッチパネル下面に配設されたスイッチ接点と、送信手段からリモコン信号を送信する制御手段からなり、上記制御手段が上記静電タッチパネルと上記スイッチ接点の操作に応じてリモコン信号を送信するリモコン送信機。
【請求項２】
所定の静電タッチパネル下方に発光素子を設けた請求項１記載のリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやビデオ、エアコン等の各種電子機器の高機能化が進むなか、これらを遠隔操作するリモコン送信機においても、多様で確実な操作を行えるものが求められている。
【０００３】
このような従来のリモコン送信機について、図４〜図６を用いて説明する。
【０００４】
なお、これらの図面のうち断面図は、構成を判り易くするために厚さ方向の寸法を拡大して表している。
【０００５】
図５は従来のリモコン送信機の断面図、図６は同分解斜視図であり、同図において、１は略箱状で絶縁樹脂製のケースで、この上面には略円盤状の揺動体２が傾倒可能に装着されると共に、揺動体２の中央部には押釦３が上下動可能に装着されている。
【０００６】
そして、４はゴム等の操作体で、揺動体２や押釦３下方の操作体４上面には、下方に略ドーム状の薄肉部が形成され、下面に可動接点５が形成された複数の押圧部４Ａが設けられると共に、同じく上面がケース１上面の貫通孔から上下動可能に突出した複数の操作部４Ｂが設けられている。
【０００７】
また、６は上下面に複数の配線パターン（図示せず）が形成された配線基板で、この上面には押圧部４Ａや操作部４Ｂ下面の可動接点５と、所定の間隙を空けて対向する複数の固定接点７が形成されている。
【０００８】
さらに、配線基板６の上下面には、発光ダイオード等のリモコン信号を送信する送信手段８や、配線パターンを介して送信手段８や複数の固定接点７に接続されたマイコン等の制御手段９が形成されると共に、ケース１下面を絶縁樹脂製のカバー１０が覆って、リモコン送信機が構成されている。
【０００９】
以上の構成において、リモコン送信機を操作する電子機器に向けて、指で所定の操作部４Ｂの上面を押圧操作すると、略ドーム状の薄肉部が弾性変形して操作部４Ｂが下方へ移動し、この下面の可動接点５が複数の固定接点７に接触して、可動接点５を介して複数の固定接点７の電気的接離が行われ、この電気的接離に応じて制御手段９が、送信手段８から赤外線のリモコン信号を電子機器へ送信し、例えば、テレビの電源の入／切や音量の増減等が遠隔操作によって行われる。
【００１０】
また、図４の正面図に示すように、遠隔操作する電子機器４０の表示画面４１に、例えば番組表や番組案内等のメニューが表示された状態で、指で揺動体２を前後または左右方向へ傾倒操作すると、この下方の各々の押圧部４Ａが押圧され、下面の可動接点５が複数の固定接点７に接触して電気的接離が行われて、制御手段９が送信手段８からリモコン信号を送信し、例えば、表示画面４１に表示されたカーソル４２やポインタ４３等が、上下方向や左右方向へ移動して、番組表番組案内等のメニューの選択が行われる。
【００１１】
さらに、カーソル４２やポインタ４３等が所望の番組やメニュー上に位置した状態で、揺動体２中央の押釦３を押圧操作すると、この下方の押圧部４Ａが押圧されて固定接点７の電気的接離が行われ、これを制御手段９が検出して送信手段８からリモコン信号を送信し、例えば、番組の予約や次のメニューの表示等が行われる。
【００１２】
つまり、複数の操作部４Ｂの押圧操作によって、電源や音量といった機器の各機能の遠隔操作を行うと共に、揺動体２の傾倒操作によって、番組表等の表示画面４１に表示されたメニューの選択を行い、さらに揺動体２中央の押釦３の押圧操作によって、メニューの確定や次メニューの表示等を、遠隔操作によって行うことができるように構成されているものであった。
【００１３】
なお、この出願の発明に関連する先行技術文献情報としては、例えば、特許文献１が知られている。
【特許文献１】特開２００６−３３６８０号公報
【発明の開示】
【発明が解決しようとする課題】
【００１４】
しかしながら、上記従来のリモコン送信機においては、ケース１上面から上方へ突出した複数の操作部４Ｂや揺動体２を、押圧または傾倒操作して機器の遠隔操作を行う構成となっているため、高さ方向の寸法が大きなものになってしまうと共に、操作部４Ｂや揺動体２を垂直にではなく斜めに押してしまった場合、誤操作も起こし易いという課題があった。
【００１５】
本発明は、このような従来の課題を解決するものであり、薄型化が図れ、多様な遠隔操作が可能なリモコン送信機を提供することを目的とする。
【課題を解決するための手段】
【００１６】
上記目的を達成するために本発明は、以下の構成を有するものである。
【００１７】
本発明の請求項１に記載の発明は、ケース上面に複数の静電タッチパネルを設けると共に、この複数の静電タッチパネルやスイッチ接点の操作に応じて、制御手段が送信手段からリモコン信号を送信するようにしてリモコン送信機を構成したものであり、ケース上面を凹凸なくほぼ平坦に形成できるため、全体の薄型化が図れると共に、複数の静電タッチパネルによって機器の各機能の切換えやメニュー選択等が行えるため、多様な遠隔操作が可能なリモコン送信機を得ることができるという作用を有する。
【００１８】
請求項２に記載の発明は、請求項１記載の発明において、所定の静電タッチパネル下方に発光素子を設けたものであり、例えば、所定の操作によって所定の箇所の静電タッチパネルのみを発光素子で照光する等、発光素子によってより容易で多様な操作を行うことができるという作用を有する。
【発明の効果】
【００１９】
以上のように本発明によれば、薄型化が図れ、多様な遠隔操作が可能なリモコン送信機を実現できるという有利な効果が得られる。
【発明を実施するための最良の形態】
【００２０】
以下、本発明の実施の形態について、図１〜図４を用いて説明する。
【００２１】
なお、これらの図面のうち断面図は、構成を判り易くするために厚さ方向の寸法を拡大して表している。
【００２２】
また、背景技術の項で説明した構成と同一構成の部分には同一符号を付して、詳細な説明を簡略化する。
【００２３】
（実施の形態）
図１は本発明の一実施の形態によるリモコン送信機の断面図、図２は同分解斜視図であり、同図において、１１は略箱状でポリスチレンやＡＢＳ等の絶縁樹脂製のケース、１２と１３はフィルム状で複数の文字や数字、記号等の表示部１２Ａや１３Ａが形成された表示シートで、ケース１１上面に表示シート１２と１３が貼付されている。
【００２４】
そして、１４は光透過性でポリスチレンやＡＢＳ等の絶縁樹脂製の導光板、１５は絶縁樹脂製の操作板で、導光板１４がケース１１の複数の貫通孔下面に、操作板１５がケース１１上面の開口孔に各々装着されている。
【００２５】
また、１６と１７，１８は静電タッチパネルで、静電タッチパネル１６が導光板１４下面に、静電タッチパネル１７が操作板１５下面に、静電タッチパネル１８が表示シート１３下方のケース１１下面に各々装着されている。
【００２６】
なお、この静電タッチパネル１６と１８は、ポリエーテルサルホンやポリカーボネート、ポリエチレンテレフタレート等のフィルム状のシートから形成されると共に、この上面または上下面の、表示シート１２や１３の表示部１２Ａや１３Ａに対応した箇所には、酸化インジウム錫や酸化錫等の光透過性の複数の導電部１６Ａや１８Ａが、所定の間隙を空けて設けられている。
【００２７】
また、静電タッチパネル１７のフィルム状のシートの上面または上下面には、所定幅または略方形状が連結された略帯状で酸化インジウム錫や酸化錫等の光透過性、あるいはカーボンや銀等の複数の導電帯１７Ａが、所定の間隙を空けて直交方向に配列されて形成されている。
【００２８】
そして、１９と２０はポリスチレンやＡＢＳ等の絶縁樹脂製の保持体で、保持体１９が静電タッチパネル１６下面を、保持体２０が静電タッチパネル１７下面を各々覆っている。
【００２９】
さらに、２１はゴムやエラストマー等のベースシートで、このベースシート２１には下方に薄肉部が形成され、上方へ突出する略ドーム状の複数の押圧部２１Ａが設けられ、この押圧部２１Ａ上面が保持体２０下面に当接している。
【００３０】
また、２２は紙フェノールやガラス入りエポキシ等の配線基板で、上下面には銅箔等によって複数の配線パターン（図示せず）が形成されると共に、この上面には銅やカーボン等によって、略円形状やこれを囲む略馬蹄状または略リング状の複数の固定接点２３が設けられている。
【００３１】
そして、この固定接点２３上面に略ドーム状で銅合金や鋼等の導電金属薄板製の可動接点２４が載置され、被覆シート２５によって配線基板２２に貼付されてスイッチ接点が形成されると共に、可動接点２４中央上面には保持体２０下面の突出部２０Ａが、ベースシート２１の薄肉部を介して当接している。
【００３２】
また、静電タッチパネル１６下方の配線基板２２上面には、発光ダイオード等の複数の発光素子２６が実装されると共に、配線基板２２の上下面には、発光ダイオード等のリモコン信号を送信する送信手段２７や、配線パターンやコネクタ（図示せず）等を介して静電タッチパネル１６や１７，１８、固定接点２３、発光素子２６、送信手段２７に接続されたマイコン等の制御手段２８が形成されている。
【００３３】
さらに、送信手段２７の側面には絶縁樹脂製の透光体２９が装着されると共に、これら静電タッチパネル１６や１７，１８、ベースシート２１を載置した配線基板２２等を収納したケース１１下面を、絶縁樹脂製のカバー３０が覆ってリモコン送信機が構成されている。
【００３４】
つまり、ケース１１上面に表示シート１２や１３、操作板１５を装着すると共に、この下面に静電タッチパネル１６や１７，１８を設けることによって、ケース１１上面から上方へ突出する操作部等が不要となり、ケース１１上面を凹凸なくほぼ平坦に形成することで、リモコン送信機全体の薄型化を図ることが可能なようになっている。
【００３５】
以上の構成において、リモコン送信機を操作する電子機器に向けて、表示シート１２や１３の所定の表示部１２Ａや１３Ａに、指を触れて接触操作すると、この指に下方の静電タッチパネル１６や１８の電荷の一部が導電し、操作した箇所の導電部１６Ａや１８Ａの容量が変化するため、これによって静電タッチパネル１６や１８のどの箇所が接触操作されたかを制御手段２８が検出する。
【００３６】
そして、この指が触れた表示部１２Ａや１３Ａに応じた赤外線のリモコン信号を、制御手段２８が送信手段２７から電子機器へ送信し、例えば、テレビの電源の入／切や音量の増減、チャンネルの切換え等が遠隔操作によって行われる。
【００３７】
また、図４の正面図に示すように、遠隔操作する電子機器４０の表示画面４１に、例えば番組表や番組案内等のメニューが表示された状態で、操作板１５に指を触れ、指をなぞるように前後左右に移動して摺動操作すると、この指に静電タッチパネル１７の電荷の一部が導電し、操作した箇所の導電帯１７Ａの容量が変化するため、これによって静電タッチパネル１７のどの箇所からどの箇所へ指が移動したのかを制御手段２８が検出する。
【００３８】
そして、この指の移動に応じたリモコン信号を、制御手段２８が送信手段２７から機器へ送信し、例えば、表示画面４１に表示されたカーソル４２やポインタ４３等が、指の移動した上下方向や左右方向へ移動して、番組表や番組案内等のメニューの選択が行われる。
【００３９】
なお、指を右上や左下といった斜め方向、あるいは、円弧や円環状に移動して摺動操作した場合にも、これを制御手段２８が検出して、表示画面４１のカーソル４２やポインタ４３等が斜め方向や円弧状に移動して、選択が行われる。
【００４０】
さらに、カーソル４２やポインタ４３等が所望の番組やメニュー上に位置した状態で、操作板１５上面を押圧操作すると、静電タッチパネル１７や保持体２０が下方へ移動し、略ドーム状の押圧部２１Ａ下方の薄肉部が弾性変形すると共に、保持体２０下面の突出部２０Ａがベースシート２１を介して、可動接点２４の中央上面を押圧する。
【００４１】
そして、所定の力が加わると、可動接点２４が弾性反転して下面が固定接点２３に接触し、可動接点２４を介して複数の固定接点２３の電気的接離が行われ、この固定接点２３の電気的接離を制御手段２８が検出して、送信手段２７からリモコン信号を機器へ送信し、例えば、番組の予約や次のメニューの表示等が行われる。
【００４２】
なお、操作板１５上面から指を離すと、可動接点２４や押圧部２１Ａの弾性復帰力によって、保持体２０が上方へ戻され元の状態に復帰する。
【００４３】
つまり、ケース１１上面の表示シート１２や１３に指を触れ接触操作することによって、電源や音量といった機器の各機能の遠隔操作を行うと共に、操作板１５に触れた指をなぞるように摺動操作することによって、番組表等の表示画面４１に表示されたメニューの選択を行い、さらに操作板１５を押圧操作し、この下方の可動接点２４を弾性反転させることによって、メニューの確定や次メニューの表示等を、遠隔操作によって行うことができるように構成されている。
【００４４】
そして、この時、表示シート１２や１３の接触操作による、この下方の静電タッチパネル１６や１８の容量変化によって、制御手段２８が接触操作箇所を検出すると共に、操作板１５の摺動操作による、この下方の静電タッチパネル１７の容量変化によって、指の移動を制御手段２８が検出して、機器の様々な遠隔操作が行われる。
【００４５】
すなわち、ケース１１上面に表示シート１２や１３、操作板１５を設けることによって、ケース１１上面を凹凸なくほぼ平坦に形成でき、全体の薄型化が図れると共に、これらの下方に複数の静電タッチパネル１６や１７，１８を設けることによって、所定の表示部１２Ａや１３Ａの接触操作や、操作板１５の摺動操作といった様々な操作によって、機器の各機能の切換えやメニュー選択等の、多様な遠隔操作が行えるようになっている。
【００４６】
また、ケース１１上面が平坦に形成され、上方へ突出する操作部等がないため、操作部の引っ掛りや戻り不良といった誤操作が生じづらくなると共に、ケース１１上面の貫通孔や開口孔からの、塵埃や水分のリモコン送信機内への侵入も防止でき、表示シート１２や１３、操作板１５上面の汚れ等の清掃も行い易い構成となっている。
【００４７】
さらに、静電タッチパネル１６下方の配線基板２２上面には、複数の発光素子２６が設けられているため、所定の操作、例えば表示シート１２や１３の接触操作や、操作板１５の押圧操作に応じて発光素子２６を発光させることで、より容易で多様な操作を行うことができる。
【００４８】
つまり、例えば、図３（ａ）の斜視図に示すように、表示シート１３の選局用の表示部１３Ａは見えるが、発光素子２６が消灯し表示シート１２の表示部１２Ａは見えづらい状態から、表示シート１２や１３を接触操作、あるいは操作板１５を押圧操作すると、この操作による静電タッチパネル１６や１７，１８の容量変化、あるいは可動接点２４の弾性反転による固定接点２３の電気的接離を制御手段２８が検出する。
【００４９】
そして、この操作に応じて制御手段２８が発光素子２６を発光させ、この光が保持体１９や静電タッチパネル１６、導光板１４を通って、図３（ｂ）に示すように、表示シート１２の表示部１２Ａを照光することによって、それまで見えづらかった複数の表示部１２Ａが明るくはっきりと視認できるようになる。
【００５０】
なお、以上の説明では、表示シート１２の表示部１２Ａのみを照光する構成について説明したが、表示シート１３の複数の表示部１３Ａ下面に、ケース１１に複数の貫通孔を形成すると共に、静電タッチパネル１８下方に複数の発光素子を設け、上記のような所定の操作によって、表示シート１３の表示部１３Ａを照光するようにしてもよい。
【００５１】
すなわち、複数の静電タッチパネル１６や１７，１８のうち、所定の静電タッチパネル１６や１８の下方に発光素子２６を設けることによって、例えば、所定の操作によって所定の箇所の静電タッチパネルのみを発光素子で照光する等、より容易で多様な操作を行うことができる。
【００５２】
このように本実施の形態によれば、ケース１１上面に複数の静電タッチパネル１６や１７，１８を設けると共に、この複数の静電タッチパネルやスイッチ接点の操作に応じて、制御手段２８が送信手段２７からリモコン信号を送信することによって、ケース１１上面を凹凸なくほぼ平坦に形成できるため、全体の薄型化が図れると共に、複数の静電タッチパネルによって機器の各機能の切換えやメニュー選択等が行えるため、多様な遠隔操作が可能なリモコン送信機を得ることができるものである。
【００５３】
また、所定の静電タッチパネル１６下方に発光素子２６を設けることによって、例えば、所定の操作に応じて所定の箇所の静電タッチパネルのみを発光素子で照光する等、より容易で多様な操作を行うことができる。
【００５４】
なお、以上の説明では、配線基板２２上面の固定接点２３に略ドーム状の可動接点２４を載置して、スイッチ接点を形成した構成について説明したが、下方に薄肉部が形成されたゴム等の押圧部下面の可動接点を、配線基板２２上面の固定接点に所定の空隙で対向させた構成や、あるいは、配線基板２２上面に単品のプッシュスイッチを実装した構成等、様々なスイッチ接点を用いた構成においても、本発明の実施は可能である。
【産業上の利用可能性】
【００５５】
本発明によるリモコン送信機は、薄型化が図れ、多様な遠隔操作が可能なものが得られ、主に各種電子機器の遠隔操作用として有用である。
【図面の簡単な説明】
【００５６】
【図１】本発明の一実施の形態によるリモコン送信機の断面図
【図２】同分解斜視図
【図３】同他の実施の形態による斜視図
【図４】電子機器の正面図
【図５】従来のリモコン送信機の断面図
【図６】同分解斜視図
【符号の説明】
【００５７】
１１  ケース
１２，１３  表示シート
１２Ａ，１３Ａ  表示部
１４  導光板
１５  操作板
１６，１７，１８  静電タッチパネル
１６Ａ，１８Ａ  導電部
１７Ａ  導電帯
１９，２０  保持体
２０Ａ  突出部
２１  ベースシート
２１Ａ  押圧部
２２  配線基板
２３  固定接点
２４  可動接点
２５  被覆シート
２６  発光素子
２７  送信手段
２８  制御手段
２９  透光体
３０  カバー
４０  電子機器
４１  表示画面
４２  カーソル
４３  ポインタ
【図１】
2010050661.tif 000003
【図２】
2010050661.tif 000004
【図３】
2010050661.tif 000005
【図４】
2010050661.tif 000006
【図５】
2010050661.tif 000007
【図６】
2010050661.tif 000008